(57)【特許請求の範囲】
【請求項１】
アイカップと、バンド本体の端部にゴーグル用バックルを掛止してなるヘッドバンドとを備えたゴーグルの前記アイカップの後端部に形成されたバンドホルダに前記ヘッドバンドを取り外し自在に連結可能であり、前記ヘッドバンドの周り方向の一端および他端と、前記一端と前記他端との間を並行して延び、前記バックルの外縁を形成する第一外縁および第二外縁とを有するゴーグル用バックルにおいて、
前記バックルの前記一端の側に形成され、前記バンドホルダに着脱自在に係合する連結部と、前記バックルの前記他端の側に形成され、前記ヘッドバンドを掛止するバンド装着部とを含み、
前記連結部が、前記第一外縁から腕状に伸びて前記バックルの前記一端を形成する前腕部と、該前腕部に隣接して形成された係合用開口と、該係合用開口を挟むように形成された弾性変形可能な弾性変形部と、前記ヘッドバンドの周り方向に直交する方向から前記バンドホルダの部位が前記係合用開口に出入り可能に形成された通過溝と、該通過溝を狭めるべく前記前腕部に向かって前記弾性変形部に形成された凸状部とを備え、前記凸状部と前記前腕部との間の間隔が、前記係合用開口に入る前記バンドホルダの部位よりもわずかに狭い間隔を隔てて対峙し、前記凸状部が前記係合用開口に出入りする前記バンドホルダの部位の通過に抵抗を与えると共に、前記弾性変形部が前記ヘッドバンドの周り方向に変形して前記バンドホルダの部位の通過を可能にすることを特徴とする前記ゴーグル用バックル。
【請求項２】
前記弾性変形部が、軟質プラスチックまたはゴムから形成され、前記通過溝を前記バンドホルダの部位が通過するとき、前記凸状部を押圧してそれ自身が圧縮変形することで前記バンドホルダの部位の通過を可能にする請求項１記載のゴーグル用バックル。
【請求項３】
前記バックルが、前記弾性変形部に隣接して形成され、前記弾性変形部の変形を可能にする変形用開口を備えている請求項１記載のゴーグル用バックル。
【請求項４】
前記弾性変形部に形成された前記凸状部に対峙する前記前腕部の位置に鉤部が形成されている請求項１〜３のいずれかに記載のゴーグル用バックル。
【発明の詳細な説明】
【０００１】
【発明の属する技術分野】
この発明は、風防用、水泳用等のゴーグルに関する。
【０００２】
【従来の技術】
レンズを備えたアイカップとヘッドバンドとからなる水泳用ゴーグルには、これらアイカップとヘッドバンドとを、アイカップに設けられたバンドホルダとヘッドバンドに設けられたバンド取付け具とを介してワンタッチで着脱できるようにした方式のものがある。特開平１０−５７５２２号公報には、この種の水泳用ゴーグルが開示されている。
【０００３】
図７はこの水泳用ゴーグルに用いられるバンド取付け具５０と、この取付け具５０にバンドホルダの係合部５１を取り付けた状態を示している。
【０００４】
この水泳用ゴーグルは、左右のアイカップ各々の外端部にバンドホルダを有し、このバンドホルダには前記バンド取付け具５０に形成された上下一対の前腕部５５を挿入係合させる接続孔が形成されている。この接続孔の外側の周壁部は、破線で図示した断面略半月形の係合部５１となっている。
【０００５】
前記バンド取付け具５０は、後端部にヘッドバンドを掛止するバンド掛止部５２を備えてヘッドバンドを掛止しており、前端部の内方に前記係合部５１を受け容れるための受容部５３を備えている。さらに、この受容部５３と外部とはスリット５４で連通しており、横向きにしてスリット５４から受容部５３へ挿入された係合部５１は、９０度回転させると、図示されるように一対の前腕部５５に支えられて受容部５３から抜けることがない。
【０００６】
【発明が解決しようとする課題】
しかしながら、この種ゴーグルにおいては、スリット５４の開放方向とヘッドバンドの引っ張り力方向が同一なので、この方向に一定の力が作用する常態では問題にならないが、特に水泳用ゴーグルにおいて、例えばプール壁でターンをする場合などにこのゴーグルに複雑な力が作用すると、ヘッドバンドが外れるという問題がある。すなわち、このような力が作用する場合は、一定の引っ張り力が作用するわけでなく、回転力が作用したり、脱加重状態になったりするため、取付け具５０が複雑な動きをして係合部５１がその向きを変えてスリット５４から抜けてしまうことがある。
【０００７】
本発明は、このような従来の課題を解決するためになされたもので、その目的は、ヘッドバンドをアイカップに対して容易に連結できるとともに、ヘッドバンドがアイカップから簡単に外れることのないヘッドバンド用バックルを提供することである。
【０００８】
【課題を解決するための手段】
前記課題を解決するための本発明の前提は、アイカップと、バンド本体の端部にゴーグル用バックルを掛止してなるヘッドバンドとを備えたゴーグルの前記アイカップの後端部に形成されたバンドホルダに前記ヘッドバンドを取り外し自在に連結可能であり、前記ヘッドバンドの周り方向の一端および他端と、前記一端と前記他端との間を並行して延び、前記バックルの外縁を形成する第一外縁および第二外縁とを有するゴーグル用バックルである。
【０００９】
かかる前提において、本発明が特徴とするところは、前記バックルの前記一端の側に形成され、前記バンドホルダに着脱自在に係合する連結部と、前記バックルの前記他端の側に形成され、前記ヘッドバンドを掛止するバンド装着部とを含み、前記連結部が、前記第一外縁から腕状に伸びて前記バックルの前記一端を形成する前腕部と、該前腕部に隣接して形成された係合用開口と、該係合用開口を挟むように形成された弾性変形可能な弾性変形部と、前記ヘッドバンドの周り方向に直交する方向から前記バンドホルダの部位が前記係合用開口に出入り可能に形成された通過溝と、該通過溝を狭めるべく前記前腕部に向かって前記弾性変形部に形成された凸状部とを備え、前記凸状部と前記前腕部との間の間隔が、前記係合用開口に入る前記バンドホルダの部位よりもわずかに狭い間隔を隔てて対峙し、前記凸状部が前記係合用開口に出入りする前記バンドホルダの部位の通過に抵抗を与えると共に、前記弾性変形部が前記ヘッドバンドの周り方向に変形して前記バンドホルダの部位の通過を可能にすることである。
【００１０】
【００１１】
【００１２】
本発明の好ましい実施態様の一つは、前記弾性変形部が、軟質プラスチックまたはゴムから形成され、前記通過溝を前記バンドホルダの部位が通過するとき、前記凸状部を押圧してそれ自身が圧縮変形することで前記バンドホルダの部位の通過を可能にすることである。
【００１３】
本発明の好ましい実施態様の他の一つは、前記バックルが、前記弾性変形部に隣接して形成され、前記弾性変形部の変形を可能にする変形用開口を備えていることである。
【００１４】
本発明の好ましい実施態様のさらに他の一つは、前記弾性変形部に形成された前記凸状部に対峙する前記前腕部の位置に鉤部が形成されていることである。
【００１５】
【発明の実施の形態】
以下、本発明を図面に示す実施の形態に基づいて詳細に説明する。
【００１６】
この実施の形態は、本発明を水泳用ゴーグルに適用したものである。
【００１７】
図１は、本実施の形態の水泳用ゴーグルを示す斜視図である。
【００１８】
図２は、この水泳用ゴーグルに用いるバックルの第一実施形態をそれぞれ示す正面図である。図３は、このバックルの取り付け時の説明図である。図４〜図６は、この水泳用ゴーグルに用いるバックルの第二〜第四実施形態をそれぞれ示す正面図である。
【００１９】
図１に示すように、水泳用ゴーグル１は、一対のレンズ２，２を備えたアイカップ３とこれを頭部に保持するヘッドバンド４とからなっている。
【００２０】
アイカップ３は、一対のレンズ２，２をそれぞれ保持した一対のレンズホルダ５，５と、これらを連結している鼻ベルト６と、一対のレンズホルダ５，５にそれぞれ装着された一対の接顔パッド７，７からなっている。
【００２１】
また、アイカップ３には、それぞれのレンズホルダ５，５の外端部において前記ヘッドバンド４を装着する一対のバンドホルダ８，８が設けられている。
【００２２】
これらバンドホルダ８，８は、略楔形状の板体から断面コ字状の枠が突出する構成を有し、これら板体をそれぞれレンズホルダ５，５の外端部に埋設して、レンズホルダ５，５と一体化するようになっている。
【００２３】
ヘッドバンド４は、弾性を有するバンド本体９と、このバンド本体９の両端に掛止された二つのバックル１０，１０とからなっている。
【００２４】
これらのバックル１０，１０は、バンドホルダ８，８を介してアイカップ３に係合する部材で、これによりアイカップ３とヘッドバンド４とを一体化している。
【００２５】
二つのバックル１０，１０は同一形状であり、同一方法でバンドホルダ８，８に係合するので、以降説明を簡単にするために一方のみについて説明する。
【００２６】
バックル１０は、図２に示すように、ヘッドバンドの周り方向に長径の略楕円形状をなし、その一端の側にバンドホルダ８に係合する連結部１１を有するとともにこれと連設して中央部から他端の側にかけて前記バンド本体９を装着するバンド装着部１２を有している。バックル１０は、さらに、その一端と他端との間を並行して延び、バックル１０の外縁を形成する第一外縁１０ａおよび第二外縁１０ｂとを有する。
【００２７】
連結部１１には、バックル１０の第一外縁１０ａと第二外縁１０ｂとの間に、前記バンドホルダ８に挿嵌する前腕部１３と、バンドホルダ８を受納してバックル１０に係合保持する係合用開口１４と、前腕部１３挿嵌時に弾性変形してこの挿嵌を可能にする弾性変形部１５と、この弾性変形部１５の変形代を受容する変形用開口１６とがこの順序で隣接して図上左から右へ設けられている。さらに、係合用開口１４には、図上下方にバンドホルダ８を通過させる通過溝１７が連通している。
【００２８】
係合用開口１４は、バックル１０の短径方向に長い長円形をなし、前腕部１３と弾性変形部１５とを区画している。
【００２９】
この係合用開口１４で区画された前腕部１３と弾性変形部１５との面は互いに対向して設けられている。
【００３０】
前腕部１３は、図上連結部１１の左端を形成するように前記第一外縁１０ａからバックル１０の短径方向に腕状に伸びており、その弾性変形部１５と対向した面には、係合用開口１４に通過溝１７が連通する部位に弾性変形部１５に向かって突出する鉤部１８が設けられている。一方、弾性変形部１５の同面にも、前腕部１３に向かって突出する凸状部１９が設けられ、これら鉤部１８と凸状部１９とは、通過溝１７を介して対峙している。これら鉤部１８と凸状部１９との対峙幅Ａ（図３参照）は、バンドホルダ８の部位を通過させる際その通過に抵抗を与えると共に弾性変形部１５がわずかに変形してバンドホルダ８の部位の通過を可能にする幅であれば良いので、通過するバンドホルダ８の部位の幅Ｂ（図３参照）よりわずかに狭くなっている。また、これら鉤部１８と凸状部１９とは、それらの頂部がＲ付けされて滑らかとなっており、バンドホルダ８の部位の通過が円滑に行われるようになっている。
【００３１】
弾性変形部１５は、係合用開口１４に隣接するとともに前記バックルの第一第二外縁に連接して形成され、前述のようにバンドホルダ８の部位を通過させる際にわずかに変形してバンドホルダ８の部位の通過に抵抗を与えながらその通過を可能にするものである。この変形を可能にするために弾性変形部１５に隣接して変形用開口１６が設けられており、かつ、弾性変形部１５におけるバックル１０の長径方向の幅は前腕部１３のそれよりも小さくなっている。この幅は、この実施形態においては、前腕部１３の同幅と比較して略１／３になっている。
【００３２】
変形用開口１６は、バックル１０の短径方向に長い長円形をなしている。
【００３３】
バンド装着部１２は、周知の構造であり、バンド本体９を掛止棒２０，２０に掛けまわして固定するようになっている。
【００３４】
【００３５】
次に、このバックル１０を装着したヘッドバンド４と、アイカップ３との取り付け方法を説明するとともにこのバックル１０の作用を説明する。
【００３６】
バックル１０にバンド本体９を掛止してヘッドバンド４を作る。アイカップ３に設けられたバンドホルダ８，８に、このヘッドバンド４のバックル１０，１０を係合して、アイカップ３とヘッドバンド４とが一体化した水泳用ゴーグルが完成する。
【００３７】
このバンドホルダ８とバックル１０との係合は、バンドホルダ８の断面コ字状の枠（部位）をヘッドバンド４の周り方向にほぼ直交する方向から通過溝１７に入れ、該通過溝１７を介して係合用開口１４に進入させる。言い換えれば、前腕部１３をバンドホルダ８の断面コ字状の枠内に挿嵌し、この枠をバックル１０の係合用開口１４に受納することにより係合がなされる。前腕部１３の挿嵌に際しては、前腕部１３をバンドホルダ８の枠の内側に挿入すると、バンドホルダ８の枠は、通過溝１７に入り、まず対峙している前腕部１３の鉤部１８と弾性変形部１５の凸状部１９とに当接してその通過に対する抵抗を受ける。ついで、バンドホルダ８の枠は、凸状部１９を押圧して弾性変形部１５をヘッドバンド４の周り方向に変形させ、相対的に前腕部１３がバンドホルダ８に挿嵌する。弾性変形部１５は、図３に示すように変形用開口１６側に変形してバンドホルダ８の枠の通過を許容する。前腕部１３がバンドホルダ８に挿嵌して、バンドホルダ８の枠が係合用開口１４に受納されると、バンドホルダ８とバックル１０との係合は完成し、バックル１０はバンドホルダ８にしっかりと保持され、使用時において外れることはない。
【００３８】
また、アイカップ３からヘッドバンド４を外すときは、バックル１０を掴んで、前腕部１３の挿嵌時とは逆の方向に引っ張る。このようにすることにより、弾性変形部１５は、挿嵌時と同様に変形してバンドホルダ８の枠の離脱を許容し、前腕部１３はバンドホルダ８から外れる。
【００３９】
このように、本実施の形態のゴーグルでは、アイカップ３とヘッドバンド４との着脱を意図して行うときは容易に行えるが、ゴーグル使用時は、従来例と異なり、引っ張り力がかかる方向と前腕部１３の着脱方向とが異なるので、まったく外れることがない。
【００４０】
つぎに、本発明のバックルの第二〜第四実施形態について説明する。
【００４１】
これらの実施形態はいずれも、第一実施形態とは、前記連結部１１の構造が一部異なっている。
【００４２】
したがって、これら第二〜第四実施形態については、第一実施形態と同一部位については、同一符号を用いて簡単に説明し、異なる部位についてのみ詳細に説明する。
【００４３】
第二実施形態のバックル２１は、その連結部２２の弾性変形部２３と、変形用開口２４とが、第一実施形態のバックル１１とその構造を異にしている。
【００４４】
図４に示すように、変形用開口２４は、係合用開口２５に連通している。
【００４５】
弾性変形部２３は、前記第二外縁１０ｂからバックル２１の短径方向に突起状に伸びた部材で、通過溝２６と変形用開口２４とで区画されている。その先端の前腕部１３に対向する部分は、凸状部２７となっており、前腕部１３の鉤部１８と対峙している。これら鉤部１８と凸状部２７との対峙幅Ａ（図３参照）は、第一実施形態のバックル１１のそれと同様であり、また、この頂部がR付けされて滑らかとなっている。
【００４６】
第三実施形態のバックル３１は、その連結部３２の弾性変形部３３と、変形用開口３４とが、第一実施形態のバックル１１とその構造を異にしている。
【００４７】
図５に示すように、変形用開口３４は、通過溝３５に連通している。
【００４８】
弾性変形部３３は、前記第一外縁１０ａからバックル３１の短径方向に突起状に伸びた部材で、係合用開口１４と変形用開口３４とで区画されている。その先端部の前腕部１３に対向した部分は、凸状部３７となっており、前腕部１３の鉤部１８と対峙している。これら鉤部１８と凸状部３７との対峙幅A（図３参照）は、第一実施形態のバックル１１のそれと同様であり、また、この頂部がR付けされて滑らかとなっている。
【００４９】
また、弾性変形部３３の凸状部３７と反対側の面に対向する変形用開口３４に臨む内壁３８には、突起状のストッパ３９が設けられている。
【００５０】
このストッパ３９は、弾性変形部３６の変形代を規制するとともに、バンドホルダ８が誤って変形用開口３４に受納されることを防止する。
【００５１】
ただし、このストッパ３９は省略することもできる。
【００５２】
これらの第二、第三実施形態のバックルは、第一実施形態と同様に作用するので、その説明は省略する。
【００５３】
これらの第一〜第三実施形態のバックル１０，２１，３１は、ポリオキシメチレン、ポリフェニレンオキシド、ポリアミド、ポリカーボネート等の機械的強度に優れたいわゆるエンジニアリングプラスチックスで作製される。
【００５４】
第四実施形態のバックル４１は、その連結部４２の弾性変形部４３が、第一実施形態のバックル１１と構造を異にしているとともに変形用開口部１６を不要としている。その他の構造は同様である。
【００５５】
図６に示すように、弾性変形部４３は、第一実施形態の弾性変形部１５と形状は同一であるが、その材質が異なっている。また、それに伴い変形用開口部１６を排している。
【００５６】
弾性変形部４３は、軟質プラスチックスまたはゴムなどの弾性による圧縮変形が大きい材質の材料からなり、エンジニアリングプラスチックスの基材上に接着ないしは一体成型するなどして形成されている。この弾性変形部４３では、材料自身が圧縮変形してバンドホルダ８の通過を可能にしている。すなわち、前腕部１３の鉤部１８と対峙している凸状部４４は、前腕部１３をバンドホルダ８に挿嵌する際に、バンドホルダ８の枠の通過にともないそれ自体が圧縮変形する。バンドホルダ８の枠の通過後は直ちにその弾性で復帰する。
【００５７】
この第四実施形態では、変形用開口部１６が不要なので、構造が簡易になっている。
【００５８】
前述のそれぞれの実施の形態は、本発明を水泳用ゴーグルに適用したものであるが、本発明のバックルは風防用、スキー用、その他様々なゴーグルに適用することができる。
【００５９】
前述の第一〜第三の実施の形態では、バックルは単一のエンジニアリングプラスチックスの射出成型等により製造されるが、必ずしもこれに限られるわけではなく、弾性変形部をその他の材料を用いて形成しても良い。例えば、第一実施形態の弾性変形部１５を硬質ゴム材として、バックルに接合した構成でも良い。この場合は、エンジニアリングプラスチックスに比べると硬度の低い硬質ゴム材をもちいるので、自身の変形も多少考慮することができ、変形用開口が小さくてすむ。
【００６０】
前述のそれぞれの実施の形態のバックルは、バンド本体の両端にこのバックルを装着したものであるが、一方を着脱不能にして、一方のみ該バックルを用いるようにしても良い。
【００６１】
【発明の効果】
本発明のバックルは、本発明のバックルを装着したヘッドバンドをアイカップに取り付ける際に、弾性変形部が弾性変形するので、容易にワンタッチで着脱できるとともに、ゴーグル使用時にヘッドバンドの加重方向がバックルの取り付け方向と異なっているので、ヘッドバンドが意図せずに脱落することがない。
【図面の簡単な説明】
【図１】  水泳用ゴーグルの斜視図。
【図２】  バックルの第一実施形態を示す正面図。
【図３】  バックルの取り付け時の説明図。
【図４】  バックルの第二実施形態を示す正面図。
【図５】  バックルの第三実施形態を示す正面図。
【図６】  バックルの第四実施形態を示す正面図。
【図７】  従来のバックルを示す正面図。
【符号の説明】
１      水泳用ゴーグル（ゴーグル）
３      アイカップ
４      ヘッドバンド
５      レンズホルダ
８      バンドホルダ
９      バンド本体
１０，２１，３１，４１      バックル
１０ａ      第一外縁
１０ｂ      第二外縁
１１，２２，３２，４２      連結部
１２      バンド装着部
１３      前腕部
１４，２５      係合用開口
１５，２３，３３，４３      弾性変形部
１６，２４，３４      変形用開口
１７，２６，３５      通過溝
１８      鉤部
１９，２７，３７，４４      凸状部
【図１】
0003686587.tif 000002
【図２】
0003686587.tif 000003
【図３】
0003686587.tif 000004
【図４】
0003686587.tif 000005
【図５】
0003686587.tif 000006
【図６】
0003686587.tif 000007
【図７】
0003686587.tif 000008